(57)【要約】  【課題】複数の回転ドラムの前側に画像表示器の透過型の表示部を配設した遊技機の演出表示装置において、回転ドラムのドラム動作不良が検知された場合に、画像表示器を利用して、少なくともドラム動作不良の回転ドラムを隠蔽して、ドラム動作不良による欠陥のある遊技演出をそのまま遊技者に見せないようにすること、等である。  【解決手段】画像表示器１８は、表示部６０の全部又は任意の一部を回転ドラム４０を透視可能なドラム表示状態と透視不能なドラム遮蔽状態とに択一的に切換え可能であり、ドラム動作不良が検知された場合、画像表示器１８の表示部６０のうち少なくともドラム動作不良の回転ドラム４０の前側に位置する部分をドラム遮蔽状態に切換えて維持する。【選択図】  図１８
2010240236.tif 000002
【特許請求の範囲】
【請求項１】
図柄が外周面に印された複数の回転ドラムと、複数の回転ドラムを夫々回転駆動する複数の電動モータと、複数の電動モータを制御するモータ制御手段と、複数の回転ドラムの前側に配設された遊技演出用の表示部を有し且つ表示部の全部又は任意の一部を回転ドラムを透視可能なドラム表示状態と透視不能なドラム遮蔽状態とに択一的に切換え可能な画像表示器と、画像表示器を制御する表示制御手段とを備えた遊技機の演出表示装置において、
前記複数の回転ドラムについて、ドラム動作不良を検知可能なドラム動作不良検知手段を備え、
前記ドラム動作不良検知手段でドラム動作不良が検知された場合、前記表示制御手段が、画像表示器の表示部のうち少なくともドラム動作不良の回転ドラムの前側に位置する部分をドラム遮蔽状態に切換えて維持するように制御することを特徴とする遊技機の演出表示装置。
【請求項２】
前記ドラム動作不良検知手段は、回転ドラムのモータ制御手段における制御上の回転位置と実際の回転位置との回転ズレによるドラム動作不良を検知可能に構成されたことを特徴とする請求項１に記載の遊技機の演出表示装置。
【請求項３】
前記ドラム動作不良検知手段でドラム動作不良が検知された場合、前記モータ制御手段が、複数の回転ドラムのうち少なくともドラム動作不良の回転ドラムを回転させないように制御することを特徴とする請求項１又は２に記載の遊技機の演出表示装置。
【請求項４】
前記表示制御手段が、画像表示器の表示部のうちドラム遮蔽状態に維持されている部分でエラー表示を行うように制御することを特徴とする請求項１〜３の何れか１項に記載の遊技機の演出表示装置。
【発明の詳細な説明】
【技術分野】
【０００１】
本発明は、遊技機の演出表示装置に関し、特に、複数の回転ドラムの前側に画像表示器の透過型の表示部が配設されたものであり、回転ドラムのドラム動作不良が検知された場合に、通常とは異なる表示制御、モータ制御を実行するように改良したものである。
【背景技術】
【０００２】
近年主流のパチンコ遊技機では、遊技盤に始動入賞口と大入賞口が設けられ、遊技盤に発射された遊技球が始動入賞口に入賞したことを契機に大当り抽選が行われ、その大当り抽選で当選した場合に、大入賞口が複数ラウンドに亙って開閉する大当り遊技が発生する。この大当り抽選や大当り遊技に基づく遊技演出が、遊技盤に設けられた演出表示装置により実行され、その演出効果によって遊技性が高められる。
【０００３】
パチンコ遊技機の演出表示装置としては、図柄が外周面に印された複数の回転ドラムを有するドラム装置を備えたもの（例えば、特許文献１〜４参照）が公知であり、更に、複数の回転ドラムの前側に配設された透過型の表示部を有する液晶表示器を備えたもの（例えば、特許文献４参照）が公知である。
【０００４】
本願出願人が実用化している演出表示装置では、ドラム装置の３×３＝９個の回転ドラムの前側に液晶表示器の透過型の表示部が配設されている。液晶表示器は、表示部に演出画像を表示可能に、また、表示部の全部又は任意の一部を回転ドラムを透視可能なドラム表示状態と透視不能なドラム遮蔽状態とに択一的に切換え可能に構成されている。この液晶表示器とドラム装置とが協働して、前記の大当り抽選や大当り遊技の他、遊技状態（通常遊技状態、確変遊技状態、潜確遊技状態等）に基づく多種多様の遊技演出を実行する。
【０００５】
一般に、ドラム装置を有する演出表示装置では、複数のステッピングモータで複数の回転ドラムが夫々回転駆動され、複数の原点スイッチで複数の回転ドラムの原点位置が夫々検出され、モータ制御部で複数のステッピングモータが制御される。これにより、複数の回転ドラムを、始動入賞口への遊技球の入賞を契機に回転開始させた後、当該入賞に基づく大当り抽選等の抽選結果に応じたドラム動作で回転させ、その後、同抽選結果に応じたドラム停止位置で回転停止させる。大当り抽選で当選している場合には、例えば、複数の回転ドラムの特定の図柄（「７」等）が一直線上に並ぶように停止表示される。
【０００６】
本願出願人が実用化している演出表示装置のドラム装置では、ステッピングモータが減速ギヤ機構を内蔵しており、これにより、ステッピングモータの分解能を高めることができ、そして、ステッピングモータを小型化することもできる。
【先行技術文献】
【特許文献】
【０００７】
【特許文献１】特開２００５−５２４８５号公報
【特許文献２】実開平６−７０７８２号公報
【特許文献３】特開平１０−１３７４０６号公報
【特許文献４】特開２００７−１４３８６号公報
【発明の概要】
【発明が解決しようとする課題】
【０００８】
従来のパチンコ遊技機のドラム装置を有する演出表示装置では、ステッピングモータ（即ち、パチンコ遊技機）の稼働時間の増大によって、主にステッピングモータの故障により回転ドラムが正常に動作しないドラム動作不良が発生する場合がある。ステッピングモータが減速ギヤ機構を内蔵しているものでは、実際にドラム動作不良が発生したステッピングモータを分解して調査した結果、減速ギヤ機構のギヤ部材間の噛合不具合（ギヤ部材、ギヤ軸の脱落等）が原因で、ドラム動作不良が発生することが判明した。尚、このドラム動作不良は、回転ドラムの減速時（回転停止の際）に発生し易いことも判った。
【０００９】
このドラム動作不良が発生すると、回転ドラムを、回転開始させた後、選択設定されたドラム動作で回転させ、選択設定されたドラム停止位置で回転停止させることができなくなる。この場合、回転ドラムはぎこちない回転動作となり、見た目も悪く、そして、何よりも、大当り抽選で当選していないのに、複数の回転ドラムの特定の図柄（「７」等）が一直線上に並んで停止表示されることが懸念され、そうなると、遊技者に疑惑を抱かせてしまう。
【００１０】
そこで、回転ドラムのドラム動作不良を検知することができた場合、ドラム動作不良の回転ドラムを回転させないようにすることが考えられるが、ドラム動作不良の回転ドラムを回転させないようにしただけでは、ドラム動作不良による欠陥のある遊技演出をそのまま遊技者に見せることになり、遊技者の不満も高まる。
【００１１】
パチンコ遊技機のドラム装置では、回転ドラムを、回転開始させた後、選択設定されたドラム動作で回転させ、選択設定されたドラム停止位置で回転停止させるために、原点スイッチが回転ドラムの原点位置を検出し、モータ制御部が、原点スイッチからの原点検出信号を受けて、ステッピングモータを制御しているが、前記のドラム動作不良を迅速に確実に検知することも容易ではない。
【００１２】
本発明の目的は、複数の回転ドラムの前側に画像表示器の透過型の表示部を配設した遊技機の演出表示装置において、回転ドラムのドラム動作不良が検知された場合に、通常とは異なる表示制御、モータ制御を実行し、画像表示器を利用して、少なくともドラム動作不良の回転ドラムを隠蔽して、ドラム動作不良による欠陥のある遊技演出をそのまま遊技者に見せないようにすること、そこでドラム動作不良を報知すること、更に、回転ドラムのドラム動作不良を迅速に確実に検知すること、等が可能な技術を提供することである。
【課題を解決するための手段】
【００１３】
請求項１の発明は、図柄が外周面に印された複数の回転ドラム(40)と、複数の回転ドラム(40)を夫々回転駆動する複数の電動モータ(41)と、複数の電動モータ(41)を制御するモータ制御手段(43)と、複数の回転ドラム(40)の前側に配設された遊技演出用の表示部(60)を有し且つ表示部(60)の全部又は任意の一部を回転ドラム(40)を透視可能なドラム表示状態と透視不能なドラム遮蔽状態とに択一的に切換え可能な画像表示器(18)と、画像表示器(18)を制御する表示制御手段(61)とを備えた遊技機(1) の演出表示装置(16)において、前記複数の回転ドラム(40)について、ドラム動作不良を検知可能なドラム動作不良検知手段(70,71) を備え、前記ドラム動作不良検知手段(70,71) でドラム動作不良が検知された場合、前記表示制御手段(61)が、画像表示器(18)の表示部(60)のうち少なくともドラム動作不良の回転ドラム(40)の前側に位置する部分をドラム遮蔽状態に切換えて維持するように制御することを特徴とする。
【００１４】
複数の回転ドラム(40)を、回転開始させた後、選択設定されたドラム動作で回転させ、選択設定されたドラム停止位置で回転停止させることができる。複数の回転ドラム(40)のドラム動作に同期させて、選択設定された表示演出を画像表示器(18)に実行させて、表示部(60)に演出画像を表示し、また、表示部(60)の全部又は任意の一部を、回転ドラム(40)を透視可能なドラム表示状態と透視不能なドラム遮蔽状態とに択一的に切換えて、多種多様の遊技演出を実行可能になる。そして、ドラム動作不良検知手段(70,71) によりドラム動作不良が検知された場合、表示制御手段(61)により、画像表示器(18)が制御されて、画像表示器(18)の表示部(60)のうち少なくともドラム動作不良の回転ドラム(40)の前側に位置する部分がドラム遮蔽状態に切換えられて維持される。
【００１５】
請求項２の発明は、請求項１の発明において、前記ドラム動作不良検知手段(70,71) は、回転ドラム(40)のモータ制御手段(43)における制御上の回転位置と実際の回転位置との回転ズレによるドラム動作不良を検知可能に構成されたことを特徴とする。
【００１６】
ここで、複数の回転ドラム(40)の原点位置を夫々検出する複数の原点検出手段を設け、ドラム動作不良検知手段(70)は、原点検出手段による原点位置検出時から電動モータ(41)の回転停止時までのモータ制御手段(43)におけるモータ停止側制御値と、電動モータ(41)の回転開始時から原点検出手段による原点位置検出時までのモータ制御手段(43)におけるモータ起動側制御値とに基づいて、ドラム動作不良を検知可能に構成することができ、更に、ドラム動作不良検知手段(71)は、原点検出手段による原点位置検出時から次の原点位置検出時までのモータ制御手段(43)におけるドラム１回転に対応するモータ１回転制御値に基づいて、ドラム動作不良を検知可能に構成することができる。
【００１７】
請求項３の発明は、請求項１又は２の発明において、前記ドラム動作不良検知手段(70,71) でドラム動作不良が検知された場合、前記モータ制御手段(43)が、複数の回転ドラム(40)のうち少なくともドラム動作不良の回転ドラム(40)を回転させないように制御することを特徴とする。
【００１８】
請求項４の発明は、請求項１〜３の何れか１項の発明において、前記表示制御手段(61)が、画像表示器(18)の表示部(60)のうちドラム遮蔽状態に維持されている部分でエラー表示を行うように制御することを特徴とする。
【発明の効果】
【００１９】
請求項１の遊技機の演出表示装置によれば、複数の回転ドラムの前側に画像表示器の透過型の表示部を配設することで、多種多様の遊技演出を実行可能になるとともに、ドラム動作不良検知手段でドラム動作不良が検知された場合、画像表示器を利用して、その画像表示器の表示部のうち少なくともドラム動作不良の回転ドラムの前側に位置する部分をドラム遮蔽状態に切換えて維持することで、少なくともドラム動作不良の回転ドラムを隠蔽して、ドラム動作不良による欠陥のある遊技演出をそのまま遊技者に見せないようにすることができ、大当り抽選で当選していないのに、複数の回転ドラムの特定の図柄が一直線上に並んで停止表示される（遊技者に疑惑を抱かせてしまう）ことを防止できる。
【００２０】
請求項２の遊技機の演出表示装置によれば、ドラム動作不良検知手段は、回転ドラムのモータ制御手段における制御上の回転位置と実際の回転位置との回転ズレによるドラム動作不良を検知可能に構成されたことで、このドラム動作不良を確実に検知できる。
【００２１】
請求項３の遊技機の演出表示装置によれば、ドラム動作不良検知手段でドラム動作不良が検知された場合、複数の回転ドラムのうち少なくともドラム動作不良の回転ドラムを回転させないことで、回転ドラムのドラム動作不良による悪影響（例えば、回転させたことによる異音や更なる故障）の発生を防止することができる。
【００２２】
請求項４の遊技機の演出表示装置によれば、画像表示器の表示部のうちドラム遮蔽状態に維持されている部分でエラー表示を行うとこで、ドラム動作不良が発生したことを、遊技者や遊技機が設置されたホールのスタッフに報知することができる。
【図面の簡単な説明】
【００２３】
【図１】パチンコ遊技機の正面図である。
【図２】パチンコ遊技機の制御系のブロック図である。
【図３】演出表示装置のドラム装置と画像表示器の前側からの斜視図である。
【図４】ドラム装置の前側からの斜視図である。
【図５】ドラム装置の主要部の前側からの斜視図である。
【図６】ドラム装置のドラム機構の正面図である。
【図７】図６のVII 矢視図である。
【図８】図７のVIII−VIII線断面図である。
【図９】図７のIX−IX線断面図である。
【図１０】ステッピングモータの側面図である。
【図１１】図１０のXI−XI線断面図である。
【図１２】液晶表示器の表示部の側面図である。
【図１３】演出表示装置の機能ブロック図である。
【図１４】複数種類の遊技演出パターンに関する図表である。
【図１５】表示・モータ制御処理のフローチャートである。
【図１６】演出表示装置の表示部の表示領域を示す正面図である。
【図１７】演出表示装置のドラム表示状態（ドラム停止）の正面図である。
【図１８】ドラム動作不良時の図１７相当図である。
【図１９】演出表示装置のドラム表示状態（ドラム回転）の正面図である。
【図２０】演出表示装置のドラム遮蔽状態（演出画像表示）の正面図である。
【図２１】演出表示装置のドラム表示状態（半透視且つ演出画像表示）の正面図である。
【図２２】演出表示装置のドラム遮蔽状態・表示状態の両方を含む正面図である。
【図２３】演出表示装置のドラム遮蔽状態・表示状態の両方を含む正面図である。
【図２４】演出表示装置のドラム表示状態（ドラム停止）の正面図である。
【図２５】ドラム動作不良時の図１９相当図である。
【図２６】ドラム動作不良時の図２１相当図である。
【図２７】ドラム動作不良時の図２３相当図である。
【図２８】ドラム動作不良時の図２４相当図である。
【図２９】第１のドラム動作不良検知処理のフローチャートである。
【図３０】第１のドラム動作不良判定処理のフローチャートである。
【図３１】第２のドラム動作不良検知処理のフローチャートである。
【図３２】第２のドラム動作不良判定処理のフローチャートである。
【図３３】実施例２の複数種類の遊技演出パターンに関する図表である。
【図３４】実施例２の演出表示装置のドラム表示状態（ドラム停止）の正面図である。
【図３５】実施例２のドラム動作不良時の図３４相当図である。
【図３６】実施例３の演出表示装置のドラム動作不良時の正面図である。
【図３７】実施例４の演出表示装置のドラム動作不良時の正面図である。
【図３８】実施例５の演出表示装置のドラム動作不良時の正面図である。
【発明を実施するための形態】
【００２４】
本発明の遊技機の演出表示装置は、回転ドラムのドラム動作不良が検知された場合、画像表示器の表示部のうち少なくともドラム動作不良の回転ドラムの前側に位置する部分をドラム遮蔽状態に切換えて維持するように、画像表示器を制御するものであり、以下、発明を実施するための形態について実施例に基づいて説明する。
【実施例１】
【００２５】
図１に示すように、パチンコ遊技機１には、遊技ホールに取付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓３ａが形成され、その窓３ａに透明板３ｂが装着され、その透明板３ｂにより遊技領域５の前側が覆われている。
【００２６】
開閉扉３の窓３ａの下側に、遊技球を貯留する貯留皿６と、遊技領域５に遊技球を発射させる発射ハンドル７が装着されている。発射ハンドル７が回動操作されると、貯留皿６から発射位置に導入された遊技球が発射され、ここで、貯留皿６に複数の遊技球が存在する場合には、複数の遊技球が約０．６秒間隔で連続発射される。発射された遊技球はガイドレール８で案内され遊技領域５の上部に投入される。
【００２７】
図１、図２に示すように、遊技盤４には、図示略の多数の障害釘の他、始動入賞口装置１０、ゲート１１、大入賞口装置１２、複数の一般入賞口１３、センタ役物１４、可動役物１５、演出表示装置１６（ドラム装置１７、画像表示器１８）、遊技表示盤１９が装着され、遊技盤４の裏面側に制御装置２０が装着されている。
【００２８】
始動入賞口装置１０は、センタ役物１４の下側に配置され、第１，第２始動入賞口１０ａ，１０ｂ、第２始動入賞口１０ｂを開閉する開閉部材１０ｃ、第１，第２始動入賞口１０ａ，１０ｂに入賞した遊技球を夫々検出する第１，第２始動口ＳＷ１０ｄ，１０ｅ、開閉部材１０ｃを開閉駆動する電チューソレノイド１０ｆを有する。開閉部材１０ｃは、閉位置で第２始動入賞口１０ｂへの遊技球の入賞を不可能にし、開位置で第２始動入賞口１０ｂへの遊技球の入賞を可能にする。ゲート１１はセンタ役物１４の左側に配置され、ゲート１１には通過した遊技球を検出するゲートＳＷ１１ａが付設されている。
【００２９】
大入賞口装置１２は、始動入賞口装置１０の下側に配置され、大入賞口１２ａ、大入賞口１２ａを開閉する開閉部材１２ｂ、大入賞口１２ａに入賞した遊技球を検出する大入賞口ＳＷ１２ｃ、開閉部材１２ｂを開閉駆動する大入賞口ソレノイド１２ｄを有する。開閉部材１２ｂは、閉位置で大入賞口１２ａへの遊技球の入賞を不可能にし、開位置で大入賞口１２ａへの遊技球の入賞を可能にする。各一般入賞口１３には入賞した遊技球を検出する一般入賞口ＳＷ１３ａが付設されている。
【００３０】
センタ役物１４は遊技盤４のうち窓３ａを通して見える部分に大きく配置され、このセンタ役物１４に可動役物１５と演出表示装置１６のドラム装置１７と画像表示器１８が設けられている。可動役物１５は、センタ役物１４の上部に配設され、遊技盤４の盤面（前面）と平行方向へ可動に構成されている。センタ役物１４は遊技盤４の盤面よりも前方へ張出すセンタ枠部材１４ａを有し、ドラム装置１７は、その９個の回転ドラム４０が、また、画像表示器１８は、その表示部６０が、センタ枠部材１４ａの内側から前方へ臨むように配設されている。演出表示装置１６については、後で詳細に説明する。
【００３１】
遊技表示盤１９は、遊技盤４の下部右側に前方へ向けて配置され、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００３２】
第１特別図柄表示器１９ａには、第１始動入賞口１０ａへの遊技球の入賞を契機に第１特別図柄が図柄変動後に表示され、第２特別図柄表示器１９ｂには、第２始動入賞口１０ｂへの遊技球の入賞を契機に第２特別図柄が図柄変動後に表示される。第１又は第２特別図柄表示器１９ａ又は１９ｂに大当り図柄（特定の特別図柄）が表示された場合、大当り遊技が発生して、大入賞口装置１２が作動し、通常は閉塞の大入賞口１２ａを開放するように開閉部材１２ｂを複数ラウンドに亙って開閉動作させる。
【００３３】
普通図柄表示器１９ｃには、ゲート１１への遊技球の入賞を契機に普通図柄が図柄変動後に表示される。普通図柄表示器１９ｃに当り図柄が表示された場合、補助遊技が発生して、始動入賞口装置１０が作動し、通常は閉塞の第２始動入賞口１０ｂを開放するように開閉部材１０ｃを１又は複数回開閉動作させる。
【００３４】
第１特別図柄保留ランプ１９ｄには、第１始動入賞口１０ａに入賞した遊技球の数であって第１特別図柄表示器１９ａでの図柄変動に未だ供していない第１保留数が４個まで表示され、第２特別図柄保留ランプ１９ｅには、第２始動入賞口１０ｂに入賞した遊技球の数であって第２特別図柄表示器１９ｂでの図柄変動に未だ供していない第２保留数が４個まで表示され、普通図柄保留ランプ１９ｆには、ゲート１１に入賞した遊技球の数であって普通図柄表示器１９ａでの図柄変動に未だ供していない保留数が４個まで表示される。
【００３５】
発射ハンドル７を回動操作することで、発射され遊技領域５の上部に投入された遊技球は、複数の障害釘に当たって方向を変えながら落下して、入賞口１０ａ，１０ｂ，１２ａ，１３の何れかに入賞した場合、そこから遊技領域５外へ排出され、入賞口１０ａ，１０ｂ，１２ａ，１３の何れにも入賞しなかった場合には、最終的に、遊技領域５の下端部に形成されたアウト口９から遊技領域５外へ排出される。
【００３６】
制御系について説明する。
図２に示すように、制御装置２０は、メイン制御装置２１とサブ制御装置２５とで構成されている。メイン制御装置２１は、遊技制御基板２２にＣＰＵとＲＯＭとＲＡＭを備えて構成され、遊技制御基板２２は盤用外部情報端子基板２３に接続されている。
【００３７】
サブ制御装置２５は、払出制御基板２６、演出制御基板２７、画像制御基板２８、ランプ制御基板２９を備え、この複数の制御基板２６〜２９は夫々ＣＰＵとＲＯＭとＲＡＭを備えて構成され、更に、演出制御基板２７はＲＴＣを備えて構成され、払出制御基板２６は枠用外部情報端子基板２４に接続されている。
【００３８】
遊技制御基板２２は、第１，第２始動口ＳＷ１０ｄ，１０ｅ、ゲートＳＷ１１ａ、大入賞口ＳＷ１２ｃ、一般入賞口ＳＷ１３ａからの検出信号と、払出制御基板２６からの制御情報を受けて、電チューソレノイド１０ｆ、大入賞口ソレノイド１２ｄ、図柄表示器１９ａ，１９ｂ，１９ｃ、図柄保留ランプ１９ｄ，１９ｅ，１９ｆを制御し、払出制御基板２６と演出制御基板２７と盤用外部情報端子基板２３に制御情報（遊技情報）を出力する。
【００３９】
払出制御基板２６は、遊技制御基板２２からの制御情報と、払出球検出ＳＷ３１、球有り検出ＳＷ３２、満タン検出ＳＷ３３からの検出信号を受けて、払出駆動モータ３０を制御し、入賞口１０ａ，１０ｂ，１２ａ，１３への遊技球の入賞１個について、入賞口１０ａ，１０ｂ，１２ａ，１３毎に設定された数の遊技球を貯留皿６に払出し、遊技制御基板２２と枠用外部情報端子基板２４に制御情報（払出情報）を出力する。
【００４０】
演出制御基板２７は、遊技制御基板２２からの制御情報と、貯留皿６に設けられた演出ボタン３４からの操作信号を受けて、画像制御基板２８に制御情報を出力し、更に、画像制御基板２８からの制御情報を受けて、ランプ制御基板２９に制御情報を出力する。画像制御基板２８は、演出制御基板２７からの制御情報を受けて、ドラム装置１７と画像表示器１８とスピーカ３５とを制御し、演出制御基板２７に制御情報を出力する。ランプ制御基板２９は、演出制御基板２７からの制御情報を受けて、主に画像制御基板２８による制御に同期させて、可動役物１５と枠ランプ３６と盤ランプ３７とを制御する。
【００４１】
次に、演出表示装置１６について詳細に説明する。
図１〜図１３に示すように、演出表示装置１６は、ドラム装置１７と、画像表示器１８と、画像制御基板２８とで構成されている。
【００４２】
図１、図４〜図１１、図１３に示すように、ドラム装置１７は、９個の合成樹脂製の回転ドラム４０と、９個の回転ドラム４０を夫々回転駆動する９個のステッピングモータ４１と、９個の回転ドラム４０に夫々付設された９個の原点位置検出用の光学センサ４２（原点スイッチ４２）とを備え、９個のステッピングモータ４１を制御するモータ制御手段４３が、画像制御基板２８に構成されている。
【００４３】
９個の回転ドラム４０の外周面には、夫々、特定図柄（「７」）を含む複数種類の複数の図柄が印されており、この９個の回転ドラム４０が、縦３個×横３個のマトリックス状に、且つ隣接する回転ドラム４０間の間隔が小さくなるように、また、夫々左右方向向きの軸心回りに回転するように配置されている。ドラム装置１７は、縦３個の回転ドラム４０を有するドラム機構４５（図５〜図９参照）を３組備え、この３組のドラム機構４５を左右方向に並設し遊技盤４に固定のドラムケース５０に装着して構成されている。
【００４４】
図５〜図９に示すように、各ドラム機構４５は、３個の回転ドラム４０、３個のステッピングモータ４１、３個の光学センサ４２、合成樹脂製のドラムベース部材４６、プリント基板４７を備えている。
【００４５】
ドラムベース部材４６は、側面視にて縦長矩形の板状に形成され、ドラムケース５０に固定されている。ドラムベース部材４６に左方膨出状に形成された３個のモータ取付台座４６ａに３個のステッピングモータ４１が夫々左向きに取付けられ、ドラムベース部材４６に右面側から形成された凹部４６ｂにプリント基板４７が取付けられている。
【００４６】
回転ドラム４０は筒状に形成され、その内周部側に形成された内鍔部４０ａの中心部に、ステッピングモータ４１の出力軸４１ａが軸連結部材４８を介して相対回転不能に連結されている。こうして、回転ドラム４０がステッピングモータ４１を介してドラムベース４６に回転可能に支持され、回転ドラム４０の右端部がドラムベース部材４６に接近し、回転ドラム４０の内側にステッピングモータ４１とモータ取付台座４６ａの大部分が収容された状態になる。
【００４７】
回転ドラム４０の外周部右端縁には、遮蔽板４０ｂが回転ドラム４０の回転軸心と平行方向の右方へ突出するように設けられている。光学センサ４２は、発光部４２ａと受光部４２ｂとを有し、この発光部４２ａと受光部４２ｂとの間を遮蔽板４０ｂが通過するようにプリント基板４７に実装され、このプリント基板４７を介してドラムベース部材４６に取付けられている。ドラムベース部材４６には、回転ドラム４０の外周部右端縁と対向する部分にセンサ用切欠穴４６ｃが形成され、光学センサ４２はセンサ用切欠穴４６ｃからドラムベース部材４６よりも左方へ突出している。
【００４８】
プリント基板４７には、図示略のモータドライバが設けられ、このモータドライバとステッピングモータ４１が配線４９で接続されている。ドラムベース部材４６には、モータ取付台座４６ａの近傍に、配線４９が通る配線通過穴４６ｄが形成されている。尚、プリント基板４７（モータドライバ、光学センサ４２）が図示略の配線で画像制御基板２８に接続されている。尚、９個の回転ドラム４０の遮蔽板４０ｂと９個の光学センサ４２とが、９個の回転ドラム４０の原点位置を夫々検出する原点検出手段４４を構成している。
【００４９】
図１０、図１１に示すように、ステッピングモータ４１は、出力軸４１ａとモータケース４１ｂを有するとともに、モータケース４１ｂの内部に、軸支部材４１ｃ、複数のステータ４１ｄ（コイル４１ｄ）、マグネットロータ４１ｅ、減速ギヤ機構４１ｆを有し、出力軸４１ａとマグネットロータ４１ｅは、夫々、モータケース４１ｂと軸支部材４１ｃに回転自在に支持され、減速ギヤ機構４１ｆを介して連動連結されている。
【００５０】
減速ギヤ機構４１ｆは、ギヤ部材４１ｇ〜４１ｊを有し、ギヤ部材４１ｇはマグネットロータ４１ｅに一体的に設けられ、ギヤ部材４１ｊは出力軸４１ａに一体的に設けられ、ギヤ部材４１ｈ，４１ｉは、夫々、ギヤ軸４１ｋ，４１ｌを介して、モータケース４１ｂと支軸部材４１ｃに回転自在に支持されている。ここで、ギヤ部材４１ｇ〜４１ｊ間の噛合不具合（ギヤ部材４１ｈ，４１ｉ、ギヤ軸４１ｋ，４１ｌの脱落等）が発生し、それが原因で、マグネットロータ４１ｅが断続的に又は連続的に空転して、回転ドラム４０が正常に動作しないドラム動作不良が発生する場合がある。
【００５１】
図４に示すように、ドラムケース５０は、９個の回転ドラム４０の前側に配設されたドラム前カバー５１を有し、この前カバー５１に上中下３段の左右方向へ延びる部分円筒状の凸カバー部５２が形成されている。各段の凸カバー部５２に３つの表示窓５２ａが形成され、合計で縦３×横３＝９つの表示窓５２ａから９個の回転ドラム４０の外周面が夫々表示され、各表示窓５２ａからは１つの図柄を停止表示させることが可能である。
【００５２】
図３、図１２、図１３に示すように、画像表示器１８は、９個の回転ドラム４０（前カバー５１）の前側に配設された遊技演出用の表示部６０を有し、この表示部６０の全部又は任意の一部を回転ドラム４０を透視可能なドラム表示状態と透視不能なドラム遮蔽状態とに択一的に切換え可能な液晶表示器であり、この画像表示器１８を制御する表示制御手段６１が、画像制御基板２８に構成されている。
【００５３】
表示部６０は、液晶表示パネル６２と、液晶表示パネル６２の後側に配設された液晶調光パネル６３とを有し、これら液晶パネル６２，６３は、３枚の透明パネル６４（ガラス基盤６４）により挟持されている。液晶表示パネル６２と液晶調光パネル６３は、夫々、偏向フィルタと多数の液晶セル及び透明電極を有し、完全透過状態（透明）になり得るように構成され、更に、液晶表示パネル６２は、多数のカラーフィルタを有し、演出画像（動画）をカラー表示可能に構成されている。
【００５４】
表示部６０（パネル６２〜６４）は、その外周部分が枠部材６５に嵌合保持され、枠部材６５の前端内側の表示窓６５ａから前方へ臨んでいる。枠部材６５はドラムケース５０に固定されている。９個の回転ドラム４０の前側にはドラム照明が設けられ、表示部６０の後側に液晶バックライトが設けられている。このドラム照明と液晶バックライトとを共通の照明とし、その照明光が表示部６０（液晶調光パネル６３）と９個の回転ドラム４０（前カバー５１）とに、それらの間から達するように構成することできる。
【００５５】
表示部６０の全部又は任意の一部において、液晶表示パネル６２と液晶調光パネル６３が共に完全透過状態になる場合に、ドラム表示状態となり、ここで、回転ドラム４０が完全透視状に鮮明に表示され、液晶表示パネル６２と液晶調光パネル６３が共に完全透過状態にならない場合に、ドラム遮蔽状態となる。また、表示部６０の全部又は任意の一部において、液晶調光パネル６３が完全透過状態になる場合に、液晶表示パネル６２が完全透過状態にならない場合、液晶表示パネル６２で表示される画像の色調等によって、ドラム表示状態とドラム遮蔽状態の何れかになり、ここでのドラム表示状態では、演出画像が幾分不鮮明に表示されるとともに、その後側に回転ドラム４０が半透視状に表示される。
【００５６】
さて、図１３に示すように、演出表示装置１６は、９個の回転ドラム４０の各々について、原点検出手段４４による原点位置Ｐ０の検出時からステッピングモータ４１の回転停止時までのモータ制御手段４３におけるモータ停止側制御値Ｃａと、ステッピングモータ４１の回転開始時から原点検出手段４４による原点位置Ｐ０の検出時までのモータ制御手段４３におけるモータ起動側制御値Ｃｂとに基づいて、回転ドラム４０のモータ制御手段４３における制御上の回転位置と実際の回転位置との回転ズレによるドラム動作不良を検知可能な第１のドラム動作不良検知手段７０を備えている。この第１のドラム動作不良検知手段７０は、画像制御基板２８に構成されている。
【００５７】
第１のドラム動作不良検知手段７０は、回転ドラム４０の回転停止の際の回転方向と回転開始の際の回転方向とが同方向の場合に、モータ停止側制御値Ｃａから算出される回転ドラム４０の原点位置Ｐ０から停止位置Ｐｓまでの回転角度θ（P0→Ps）と、モータ起動側制御値Ｃｂから算出される回転ドラム４０の停止位置Ｐｓから原点位置Ｐ０までの回転角度θ（Ps→P0）との和が３６０度でない場合に、ドラム動作不良であると判断する。
【００５８】
また、第１のドラム動作不良検知手段７０は、回転ドラム４０の回転停止の際の回転方向と回転開始の際の回転方向とが逆方向の場合に、モータ停止側制御値Ｃａから算出される回転ドラムの原点位置Ｐ０から停止位置Ｐｓまでの回転角度θ（P0→Ps）と、モータ起動側制御値Ｃｂから算出される回転ドラム４０の停止位置Ｐｓから原点位置Ｐ０までの回転角度θ（Ps→P0）とが一致しない場合に、ドラム動作不良であると判断する。
【００５９】
また、演出表示装置１６は、９個の回転ドラム４０の各々について、原点検出手段４４による原点位置Ｐ０の検出時から次の原点位置Ｐ０の検出時までのモータ制御手段４３におけるドラム１回転に対応するモータ１回転制御値Ｃｃに基づいて、回転ドラム４０のモータ制御手段４３における制御上の回転位置と実際の回転位置との回転ズレによるドラム動作不良を検知可能な第２のドラム動作不良検知手段７１を備えている。この第２のドラム動作不良検知手段７１は、画像制御基板２８に構成されている。
【００６０】
第２のドラム動作不良検知手段７１は、モータ１回転制御値Ｃｃから算出される回転ドラム４０の原点位置Ｐ０から次の原点位置Ｐ０までの回転角度θ（P0→P0）が３６０度でない場合に、ドラム動作不良であると判断する。
【００６１】
この演出表示装置１６において、ドラム動作不良検知手段７０又は７１でドラム動作不良が検知された場合に、表示制御手段６１が、画像表示器１８の表示部６０のうちドラム動作不良の回転ドラム４０の前側に位置する部分をドラム遮蔽状態に切換えて維持するとともに、このドラム遮蔽状態に維持されている部分でエラー表示を行うように、画像表示器１８を制御し、モータ制御手段４３が、９個の回転ドラム４０のうちドラム動作不良の回転ドラム４０を回転させないように、ステッピングモータ４１を制御する。
【００６２】
次に、画像制御基板２８の表示制御手段６１、モータ制御手段４３、第１，第２のドラム動作不良検知手段７０，７１が実行する具体的な処理について説明する。併せて、遊技制御基板２２、演出制御基板２７が実行する処理についても簡単に説明する。
【００６３】
先ず、遊技制御基板２２では、始動入賞口１０ａ，１０ｂへの遊技球の入賞を契機に、大当り抽選とその判定を含む各種抽選判定が行われ、その抽選判定に基づく情報を含む変動開始コマンドが演出制御基板２７に出力される。演出制御基板２７では、遊技制御基板２２から受ける変動開始コマンドの情報に基づいて、図１４に示す複数種類の遊技演出パターン１、２、３・・・Ｎの中から何れか１つの遊技演出パターンが選択設定され、その遊技演出パターンの情報を含む変動演出開始コマンドが画像制御基板２８に出力される。
【００６４】
表示制御手段６１、モータ制御手段４３が実行する表示・モータ制御処理を図１５のフローチャートで示す。ここで、モータ制御手段４３は、各ステッピングモータ４１をモータドライバに出力したパルスにより制御し、各回転ドラム４０の回転角度はパルス数により制御され、各回転ドラム４０の回転方向はパルスの向きによりが制御され、各回転ドラム４０の回転速度はパルス周波数により制御される。尚、図画像表示器１８の表示部６０の表示領域は、９個の回転ドラム４０に夫々対応する９つの表示領域６０ａ〜６０ｉからなるものとする。
【００６５】
図１５に示すように、この表示・モータ制御処理では、パチンコ遊技機１の電源投入後に、先ず、初期設定（Ｓ１）が実行され、この初期設定では、９個の回転ドラム４０を復旧させ、そこで、各回転ドラム４０が回転されて、原点検出手段４４で原点位置Ｐ０を検出され、定位置に回転停止される。
【００６６】
次に、変動演出開始コマンドが演出制御基板２７から受信されたか否か判定され（Ｓ２）、Ｓ２；Noの場合、ドラム動作不良フラグＦが１か否か（つまり、ドラム動作不良検知手段７０又は７１でドラム動作不良が検知されたか否か）判定される（Ｓ３）。Ｓ３；Noの場合には、通常の待機表示制御処理（Ｓ４）が実行されて、Ｓ２へリターンし、このＳ４では、図１７に示すように、画像表示器１８の表示部６０の全部を、回転ドラム４０が完全透視状になるドラム表示状態にする。
【００６７】
Ｓ３；Yes の場合には、ドラム動作不良用の待機表示制御処理（Ｓ５）が実行されて、Ｓ２へリターンし、このＳ５では、図１７の状態に対して、画像表示器１８の表示部６０のうちドラム動作不良の回転ドラム４０の前側に位置する部分がドラム遮蔽状態に切換えられて維持され、このドラム遮蔽状態に維持されている部分でエラー表示が行われる。例えば、表示領域６０ａの後側の回転ドラム４０がドラム動作不良の場合、図１８に示すように、表示部６０の表示領域６０ａがドラム遮蔽状態に維持されるとともに、その表示部６０の表示領域６０ａでエラー表示として黒色表示が行われる。
【００６８】
次に、変動演出開始コマンドが演出制御基板２７から受信された場合（Ｓ２；Yes ）、変動演出開始コマンド（遊技演出パターン）が解析される（Ｓ６）。次に、ドラム動作不良フラグＦが１でない場合（Ｓ７；No）、通常の演出モータ制御処理（Ｓ８）と通常の演出表示制御処理（Ｓ９）が実行されて、Ｓ１２へ移行する。
【００６９】
このＳ８とＳ９では、９個の回転ドラム４０が、図１７の状態から、図１９に示すように、回転開始した後、選択設定された（Ｓ６で解析された）演出パターンに対応するドラム動作（図１４参照）で回転し、選択設定されたドラム停止位置で回転停止するように、９個のステッピングモータ４１が制御されるとともに、画像表示器１８が選択設定された演出パターンに対応する表示演出（図１４参照）を実行するように制御される。
【００７０】
Ｓ９において、図１９に示すように、表示部６０の全部を回転ドラム４０が完全透視状になるドラム表示状態にしたり、図２０に示すように、表示部６０の全部をドラム遮蔽状態にして、そこで演出画像を表示したり、図２１に示すように、表示部６０の全部を回転ドラム４０が半透視状になるドラム表示状態にして、そこで演出画像を幾分不鮮明に表示したりする。
【００７１】
また、図２２に示すように、表示部６０の一部（例えば、表示領域６０ｆ）を回転ドラム４０が完全透視状になるドラム表示状態にするとともに、表示部６０の前記一部以外をドラム遮蔽状態にして、そこで演出画像を表示したり、図２３に示すように、表示部６０の一部（例えば、表示領域６０ｃ，６０ｆ，６０ｉ）を回転ドラム４０が完全透視状になるドラム表示状態にするとともに、表示部６０の前記一部以外を回転ドラム４０が半透視状になるドラム表示状態にしたりする。
【００７２】
複数種類の遊技演出パターンの表示演出は、夫々、図１９〜図２３の少なくとも１つを有するものとなる。そして、最終的に、図１７と同様に、表示部６０の全部を回転ドラム４０が完全透視状になるドラム表示状態にして、Ｓ８において、９個の回転ドラム４０が、選択設定されたドラム停止位置で回転停止するように、９個のステッピングモータ４１が制御され、そこで、大当り抽選で当選している場合には、図２４に示すように、３個の回転ドラム４０の特定の図柄（「７」）が（図２４では、２組）一直線上に並ぶように停止表示される。
【００７３】
一方、図１５に示すように、ドラム動作不良フラグＦが１の場合（Ｓ７；Yes ）、ドラム動作不良用の演出モータ制御処理（Ｓ１０）とドラム動作不良用の演出表示制御処理（Ｓ１１）が実行されて、Ｓ１２へ移行する。
【００７４】
このＳ１０とＳ１１では、ドラム動作不良の回転ドラム４０以外（例えば、８個）の回転ドラム４０が、図１８の状態から、図２５に示すように、回転開始した後、選択設定された（Ｓ６で解析された）演出パターンに対応するドラム動作（図１４参照）で回転し、選択設定されたドラム停止位置で回転停止するように、９個のステッピングモータ４１が制御されるとともに、画像表示器１８が選択設定された演出パターンに対応する表示演出（図１４参照）を実行するように制御される。
【００７５】
Ｓ１１において実行される表示演出は、その大部分が、Ｓ９において実行される表示演出と同様である。例えば、図２０、図２２については全く同様である。但し、図１９に相当する図２５と、図２１に相当する図２６と、図２３に相当する図２７では、ドラム動作不良の回転ドラム４０を隠蔽するために、表示部６０のうちドラム動作不良の回転ドラム４０の前側に位置する部分（例えば、表示領域６０ａ）がドラム遮蔽状態に維持されるとともに、そこでエラー表示として黒色表示が行われる。尚、図２０、図２２の場合についても、表示部６０のうちドラム動作不良の回転ドラム４０の前側に位置する部分でエラー表示として黒色表示を行ってもよい。
【００７６】
そして、最終的に、図１８と同様に、表示部６０のうちドラム動作不良の回転ドラム４０の前側に位置する部分はドラム遮蔽状態に維持され、そこでエラー表示として黒色表示が行われるが、その他の部分を回転ドラム４０が完全透視状になるドラム表示状態にして、Ｓ１１において、ドラム動作不良の回転ドラム４０以外の回転ドラム４０が、選択設定されたドラム停止位置で回転停止するように、９個のステッピングモータ４１が制御され、そこで、大当り抽選で当選している場合には、図２８に示すように、３個の回転ドラム４０の特定の図柄（「７」）が（図２８では、２組）一直線上に並ぶように停止表示される。尚、Ｓ１２では、変動演出停止コマンドが演出制御基板２７から受信されたか否か判定され、Ｓ１２；Noの場合Ｓ７へリターンし、Ｓ１２；Yes の場合Ｓ２へリターンする。
【００７７】
第１のドラム動作不良検知手段７０が各回転ドラム４０について実行する第１のドラム動作不良検知処理を図２９と図３０のフローチャートで示し、第２のドラム動作不良検知手段７１が各回転ドラム４０について実行する第２のドラム動作不良検知処理を図３１、図３２のフローチャートで示す。この第１，第２のドラム動作不良検知処理は、モータ制御手段４３が実行する一連の制御と並行して、微小時間毎の割合処理にて実行される。尚、第１，第２のドラム動作不良検知処理に用いる情報について、回転ドラム４０の原点位置検出以外の情報は、モータ制御手段４３における制御情報に基づくものである。
【００７８】
図２９に示すように、第１のドラム動作不良検知処理では、パチンコ遊技機１の電源投入後に、先ず、初期設定（Ｓ２０）が実行され、ステッピングモータ４１が回転開始するまで待機する。ステッピングモータ４１が回転開始すると（Ｓ２１）、モータ制御値Ｃｎが演算更新される（Ｓ２２）。このＳ２２と後のＳ３１では、モータ制御手段４３がモータドライバに出力したパルスの数と向きに基づいてモータ制御値Ｃｎが演算更新される。
【００７９】
尚、Ｓ２０では、回転ドラム４０の復旧の際、回転ドラム４０が回転して、原点検出手段４４による原点位置Ｐ０の検出時に、モータ制御値Ｃｎが０にリセットされ、その後、回転ドラム４０を定位置に回転停止させるために、ステッピングモータ４１が回転した場合には、モータ制御値ＣｎがＳ２２同様に演算更新される。尚、Ｓ２０では、基本的にドラム動作不良フラグＦが０にリセットされる。但し、パチンコ遊技機１の前回の電源遮断時から今回の電源投入時まで、ドラム動作不良フラグＦを記憶可能に構成して、前回のドラム動作不良フラグＦ（０又は１）を採用してもよい。
【００８０】
次に、回転ドラム４０の原点位置Ｐ０が検出されたか否か判定され（Ｓ２３）、Ｓ２３；Noの場合はＳ２５へ移行し、Ｓ２３；Yes の場合は、モータ制御値Ｃｎが０にリセットされ（Ｓ２４）、その後Ｓ２５へ移行する。次に、ステッピングモータ４１が回転停止したか否か判定され（Ｓ２５）、Ｓ２５；Noの場合はＳ２２へリターンし、Ｓ２２〜Ｓ２５が繰り返し実行される。
【００８１】
ステッピングモータ４１が回転停止した場合（Ｓ２５；Yes ）、最新のモータ制御値Ｃｎがモータ停止側制御値Ｃａとして記憶され（Ｓ２６）、その後、モータ制御値Ｃｎが０にリセットされ（Ｓ２７）、ステッピングモータ４１が回転開始するまで待機する。ステッピングモータ４１が回転開始すると（Ｓ２８；Yes ）、モータ制御値Ｃｎが演算更新され（Ｓ２９）、次に、回転ドラム４０の原点位置Ｐ０が検出されたか否か判定され（Ｓ３０）、Ｓ３０；Noの場合はＳ２９へリターンし、Ｓ２９〜Ｓ３０が繰り返し実行される。
【００８２】
回転ドラム４０の原点位置Ｐ０が検出された場合（Ｓ３０；Yes ）、最新のモータ制御値Ｃｎがモータ起動側制御値Ｃｂとして記憶され（Ｓ３１）、その後、モータ制御値Ｃｎが０にリセットされ（Ｓ３２）、次に、第１のドラム動作不良判定処理（Ｓ３３）が実行され、その後、Ｓ２５へリターンする。
【００８３】
図３０に示すように、Ｓ３３の第１のドラム動作不良判定処理では、先ず、回転ドラム４０の回転停止の際の回転方向と回転開始の際の回転方向が同方向であるか否か判定される（Ｓ４０）。詳しくは、モータ制御値Ｃｎに基づいて、回転ドラム４０が回転停止した直前に原点位置Ｐ０を通過した方向と、回転ドラム４０が回転開始した直後に原点位置Ｐ０を通過した方向が同方向であるか否か判定される。
【００８４】
Ｓ４０；Yes の場合には、モータ停止側制御値Ｃａから算出される回転ドラム４０の原点位置Ｐ０から停止位置Ｐｓまでの回転角度θ（P0→Ps）と、モータ起動側制御値Ｃｂから算出される回転ドラム４０の停止位置Ｐｓから原点位置Ｐ０までの回転角度θ（Ps→P0）との和が３６０度であるか否か判定され（Ｓ４１）、Ｓ４１；Yes の場合はリターンし、Ｓ４１；Noの場合は、ドラム動作不良であると判断し、ドラム動作不良フラグＦが１にセットされ（Ｓ４３）、リターンする。
【００８５】
Ｓ４０；Noの場合には、モータ停止側制御値Ｃａから算出される回転ドラムの原点位置Ｐ０から停止位置Ｐｓまでの回転角度θ（P0→Ps）と、モータ起動側制御値Ｃｂから算出される回転ドラム４０の停止位置Ｐｓから原点位置Ｐ０までの回転角度θ（Ps→P0）とが一致するか否か判定され（Ｓ４２）、Ｓ４２；Yes の場合はリターンし、Ｓ４２；Noの場合は、ドラム動作不良であると判断し、ドラム動作不良フラグＦが１にセットされ（Ｓ４３）、リターンする。
【００８６】
次に、図３１に示すように、第２のドラム動作不良検知処理では、パチンコ遊技機１の電源投入後に、先ず、初期設定（Ｓ５０）が実行され、ステッピングモータ４１が回転開始するまで待機する。ステッピングモータ４１が回転開始すると（Ｓ５１）、モータ制御値Ｃｎが演算更新される（Ｓ５２）。このＳ５２では、モータ制御手段４３がモータドライバに出力したパルスの数と向きに基づいてモータ制御値Ｃｎが演算更新される。
【００８７】
尚、Ｓ５０では、回転ドラム４０の復旧の際、回転ドラム４０が回転して、原点検出手段４４による原点位置Ｐ０の検出時に、モータ制御値Ｃｎが０にリセットされ、その後、回転ドラム４０を定位置に回転停止させるために、ステッピングモータ４１が回転した場合には、モータ制御値ＣｎがＳ５２同様に演算更新される。また、基本的にドラム動作不良フラグＦが０にリセットされる。但し、パチンコ遊技機１の前回の電源遮断時から今回の電源投入時まで、ドラム動作不良フラグＦを記憶可能に構成して、前回のドラム動作不良フラグＦ（０又は１）を採用してもよい。
【００８８】
次に、回転ドラム４０の原点位置Ｐ０が検出されたか否か判定され（Ｓ５３）、Ｓ５３；Noの場合はＳ５７へ移行する。Ｓ５３；Yes の場合は、最新のモータ制御値Ｃｎがモータ１回転制御値Ｃｃとして記憶され（Ｓ５４）、その後、モータ制御値Ｃｎが０にリセットされ（Ｓ５５）、次に、第２のドラム動作不良判定処理（Ｓ５６）が実行され、その後、Ｓ５７へ移行する。Ｓ５７では、ステッピングモータ４１が回転停止したか否か判定され、Ｓ５７；Yes の場合は、Ｓ５１へ移行し、Ｓ５７；Noの場合は、Ｓ５２へ移行する。
【００８９】
図３２に示すように、Ｓ５６の第２のドラム動作不良判定処理では、モータ１回転制御値Ｃｃから算出される回転ドラム４０の原点位置Ｐ０から次の原点位置Ｐ０までの回転角度θ（P0→P0）が３６０度であるか否か判定され（Ｓ６０）、Ｓ６０；Yes の場合はリターンし、Ｓ６０；Noの場合には、ドラム動作不良であると判断し、ドラム動作不良フラグＦが１にセットされ（Ｓ６１）、リターンする。
【００９０】
尚、第１，第２のドラム動作不良検知処理については、ドラム動作不良が検知された場合、それ以降は実行中止するようにしてもよい。但し、ドラム動作不良が検知された後、電源遮断後に電源投入した場合には、第１，第２のドラム動作不良検知処理を再開させてもよいし、ドラム動作不良が検知された情報をバックアップにて記憶しておいて、その情報を活用して再開さないようにしてもよい。
【００９１】
次に、この演出表示装置１６の作用・効果について説明する。
９個の回転ドラム４０の前側に画像表示器１８の透過型の表示部６０を配設することで、多種多様の遊技演出を実行可能になるとともに、ドラム動作不良検知手段７０，７１でドラム動作不良が検知された場合、画像表示器１８を利用して、その画像表示器１８の表示部６０のうちドラム動作不良の回転ドラム４０の前側に位置する部分をドラム遮蔽状態に切換えて維持することで、ドラム動作不良の回転ドラム４０を隠蔽して、ドラム動作不良による欠陥のある遊技演出をそのまま遊技者に見せないようにすることができ、大当り抽選で当選していないのに、３個の回転ドラム４０の特定の図柄が一直線上に並んで停止表示される（遊技者に疑惑を抱かせてしまう）ことを防止できる。
【００９２】
ドラム動作不良検知手段７０，７１でドラム動作不良が検知された場合、９個の回転ドラム４０のうちドラム動作不良の回転ドラム４０を回転させないことで、回転ドラム４０のドラム動作不良による悪影響（例えば、ドラム動作不良の回転ドラム４０を回転させたことによる異音や更なる故障）の発生を防止できる。画像表示器１８の表示部６０のうちドラム遮蔽状態に維持されている部分でエラー表示を行うとこで、ドラム動作不良が発生したことを、遊技者や遊技機が設置されたホールのスタッフに報知することができる。
【００９３】
第１のドラム動作不良検知処理により、既存の原点検出手段４４を用いて、原点検出手段４４による原点位置Ｐ０の検出時からステッピングモータ４１の回転停止時までのモータ制御手段４３におけるモータ停止側制御値Ｃａと、ステッピングモータ４１の回転開始時から原点検出手段４４による原点位置Ｐ０の検出時までのモータ制御手段４３におけるモータ起動側制御値Ｃｂとに基づいて、回転ドラム４０のモータ制御手段４３における制御上の回転位置と実際の回転位置との回転ズレによるドラム動作不良を、回転ドラム４０のドラム動作不良が発生した回転の開始の際、又は、回転ドラム４０のドラム動作不良が発生した回転の停止後の次の回転の開始の際に、迅速に確実に検知できる。
【００９４】
この場合、回転ドラム４０の回転停止の際の回転方向と回転開始の際の回転方向とが同方向の場合にも、回転ドラム４０の回転停止の際の回転方向と回転開始の際の回転方向とが逆方向の場合にも、回転ドラム４０のドラム動作不良が発生した回転開始の際、又は、回転ドラム４０のドラム動作不良が発生した回転の停止後の次の回転開始の際に、ドラム動作不良を確実に検知できる。
【００９５】
第２のドラム動作不良検知処理により、既存の原点検出手段４４を用いて、原点検出手段４４による原点位置Ｐ０の検出時から次の原点位置Ｐ０の検出時までのモータ制御手段４３におけるドラム１回転に対応するモータ１回転制御値Ｃｃに基づいて、回転ドラム４０のモータ制御手段における制御上の回転位置と実際の回転位置との回転ズレによるドラム動作不良を、回転ドラム４０のドラム動作不良が発生した回転の停止までに、迅速に確実に検知できる。そして、第１のドラム動作不良検知処理と共に、この第２のドラム動作不良検知処理を実行することで、ドラム動作不良の検知精度（検知速度）を高めることができる。
【００９６】
尚、第１，第２のドラム動作不良検知処理については、ステッピングモータ４１の出力軸４１ａに対する回転ドラム４０の位置ズレ（本実施例のように、ステッピングモータ４１の出力軸４１ａが回転ドラム４０に直結されている場合には、出力軸４１ａのスベリ）にも対応できる、つまり、ドラム動作不良を検知できるものである。
【実施例２】
【００９７】
実施例２は、実施例１において、モータ制御手段４３が実行する処理・制御を変更したものである。このモータ制御手段６１では、ドラム動作不良が検知された場合、ドラム動作不良の回転ドラム４０以外（例えば、８個）の回転ドラム４０が、回転開始した後、図３３に示すように、選択設定された演出パターンに対応するドラム動作の代わりのドラム動作不良用のドラム動作で回転し、選択設定されたドラム停止位置で回転停止するように、９個のステッピングモータ４１が制御される。
【００９８】
例えば、図３４に示すように、ドラム動作不良が検知されない場合、選択設定された演出パターンに対応するドラム動作により、表示領域６０ａの後側の回転ドラム４０を含む３個の回転ドラム４０の特定の図柄（「７」）が一直線上に並ぶように停止表示される場合、表示領域６０ａの後側の回転ドラム４０がドラム動作不良となり、表示領域６０ａがドラム遮蔽状に切換えられると、３個の回転ドラム４０の特定の図柄（「７」）が一直線上に並ぶように停止表示されなくなる。
【００９９】
そこで、選択設定された演出パターンに対応するドラム動作不良用のドラム動作により、図３５に示すように、ドラム動作不良の回転ドラム４０（表示領域６０ａの後側の回転ドラム４０）以外の３個の回転ドラム４０の特定の図柄（「７」）が一直線上に並ぶように停止表示するように構成できる。尚、ドラム動作不良用のドラム動作については、通常のドラム動作とドラム動作不良の回転ドラム４０の位置とに基づいて、予め設定されている、或いは、ドラム動作不良が検知されたときに演算設定されるものとする。
【実施例３】
【０１００】
実施例３は、実施例１において、表示制御手段６１が実行する処理・制御を変更したものである。この表示制御手段６１では、ドラム動作不良が検知された場合、図３６に示すように、画像表示器１８の表示部６０のうちドラム動作不良の回転ドラム４０の前側に位置する部分（表示領域６０ａ）をドラム遮蔽状態に切換えて維持するとともに、そこでエラー表示を文字（例えば、「エラー」）にて行うように、画像表示器１８が制御される。
【実施例４】
【０１０１】
実施例４は、実施例１において、表示制御手段６１が実行する処理・制御を変更したものである。この表示制御手段６１では、ドラム動作不良が検知された場合、図３７に示すように、画像表示器１８の表示部６０のうちドラム動作不良不良の回転ドラム４０を含む複数の回転ドラム４０（ドラム動作不良ではない回転ドラム４０を含む）の前側に位置する部分（表示領域６０ａ，６０ｂ，６０ｃ）をドラム遮蔽状態に切換えて維持し、そこで、エラー表示（例えば、黒色表示）を行うように、画像表示器１８が制御される。
【実施例５】
【０１０２】
実施例５は、実施例１において、表示制御手段６１が実行する処理・制御を変更したものである。この表示制御手段６１では、ドラム動作不良が検知された場合、図３８に示すように、画像表示器１８の表示部６０の全部をドラム遮蔽状態に切換えて維持するとともに、そこでエラー表示（例えば、文字「エラー」にて）行うように、画像表示器１８が制御される。
【０１０３】
その他、本発明の演出表示装置１６については次のように変更してもよい。
（１）回転ドラム４０の数・形状・サイズ・配置について種々の構成を採用する。例えば、回転ドラム４０を１個だけ備える、或いは、９個以外の複数個備える。
（２）画像表示器１８としてＥＬ表示器を採用する。
（３）ステッピングモータの代わりに、ステッピングモータ以外の電動モータ（サーボモータ等）を採用する。
【０１０４】
（４）パチンコ遊技機以外のスロットマシンの演出表示装置に適用する。
（５）パチンコ遊技機やスロットマシン以外の種々の遊技機の演出表示装置に適用する。
（６）回転ドラムのドラム動作不良を検知する技術については、実施例に記載の検知技術以外に種々の検知技術を採用可能である。
（７）その他、本発明の趣旨を逸脱しない範囲において、前記開示事項以外の種々の変更を付加して実施可能である。
【符号の説明】
【０１０５】
１  パチンコ遊技機
１６  演出表示装置
１８  画像表示器
４０  回転ドラム
４１  ステッピングモータ
４３  モータ制御手段
６０  表示部
６１  表示制御手段
７０  第１のドラム動作不良検知手段
７１  第２のドラム動作不良検知手段
【図１】
2010240236.tif 000003
【図２】
2010240236.tif 000004
【図３】
2010240236.tif 000005
【図４】
2010240236.tif 000006
【図５】
2010240236.tif 000007
【図６】
2010240236.tif 000008
【図７】
2010240236.tif 000009
【図８】
2010240236.tif 000010
【図９】
2010240236.tif 000011
【図１０】
2010240236.tif 000012
【図１１】
2010240236.tif 000013
【図１２】
2010240236.tif 000014
【図１３】
2010240236.tif 000015
【図１４】
2010240236.tif 000016
【図１５】
2010240236.tif 000017
【図１６】
2010240236.tif 000018
【図１７】
2010240236.tif 000019
【図１８】
2010240236.tif 000020
【図１９】
2010240236.tif 000021
【図２０】
2010240236.tif 000022
【図２１】
2010240236.tif 000023
【図２２】
2010240236.tif 000024
【図２３】
2010240236.tif 000025
【図２４】
2010240236.tif 000026
【図２５】
2010240236.tif 000027
【図２６】
2010240236.tif 000028
【図２７】
2010240236.tif 000029
【図２８】
2010240236.tif 000030
【図２９】
2010240236.tif 000031
【図３０】
2010240236.tif 000032
【図３１】
2010240236.tif 000033
【図３２】
2010240236.tif 000034
【図３３】
2010240236.tif 000035
【図３４】
2010240236.tif 000036
【図３５】
2010240236.tif 000037
【図３６】
2010240236.tif 000038
【図３７】
2010240236.tif 000039
【図３８】
2010240236.tif 000040